(57)【要約】      （修正有）【課題】着席に際して帽子や携帯している手提げバッグなどの持ち物を簡単に掛け止めることのできる掛け止め部が設けられた椅子を提供する。【解決手段】本椅子１は、脚２、３と、座部４と、保持フレームの上部内側に着脱可能に取り付けられた背もたれ８とを備えた椅子において、棒状部品９が、背もたれフレーム６の外側に、保持フレームの先端より突出した状態で固定され、保持フレームの先端面と棒状部品９とで手荷物掛１０を形成していることを特徴とする。【選択図】図１
0003175408.tif 000002
【実用新案登録請求の範囲】
【請求項１】
脚と、座部と、２本の背もたれフレームの上部内側に着脱可能に取り付けられたレザー張り製又は布張り製の背もたれと、を備えた椅子において、前記背もたれフレームの上部外側に、棒状部品が背もたれフレームの上端より上方に突出した状態で固定され、背もたれフレームの上端と棒状部品により掛け止め部が形成されていることを特徴とする椅子。
【請求項２】
請求項１に記載の椅子において、背もたれは、背もたれフレーム或いは背もたれフレーム及び棒状部品を貫通し、背もたれに設けられたネジ穴にねじ込まれて固定される取り付けボルトにて、脱着可能に取り付けられ、棒状部品は固定用ビスにて固定されていることを特徴とする椅子。
【請求項３】
請求項１又は２に記載の椅子において、背もたれフレームは後脚を構成する２本の部材が座部よりさらに上方に延長され構成されていることを特徴とする椅子。
【請求項４】
請求項１〜３のいずれか一項に記載の椅子において、背もたれフレームと、前脚を構成する部材が座部よりさらに上方に延長され構成されている肘掛フレームとにより取り付けられた肘掛が設けられていることを特徴とする椅子。
【請求項５】
請求項１〜４のいずれか一項に記載の椅子において、座部がレザー張り製又は布張り製であることを特徴とする椅子。
【請求項６】
請求項４または５に記載の椅子において、脚、フレーム及び棒状部品が木製であることを特徴とする椅子。
【考案の詳細な説明】
【技術分野】
【０００１】
本考案は椅子に関するものであり、着席に際して帽子や携帯している手提げバッグなどの持ち物を簡単に掛け止めることのできる持ち物掛を付与した椅子に関する。
【背景技術】
【０００２】
外出時における各種ホール、集会場、レストランなどだけでなく、家庭内でもダイニング、リビングなどにおいて椅子に着席する際に、帽子や手提げバッグなどの持ち物の置き場に困ることがある。このような場合に対処すべく、椅子に取り付けることのできる持ち物を掛けることのできる簡易ハンガーは、これまでにも提案されている。例えば、特許文献１には椅子のフレームに取り付け可能な、フックを軸装したハンガーが提案されており、また特許文献２には、スプリングの弾性力を利用して、椅子の背板の上部のフレームパイプなどに装着することのできるフックを具備した簡易ハンガーが提案されているが、付属品であるハンガーとしての金具が必要であり、椅子と一体化したものでもなく、一時的に取り付けた感じが否めない。
【０００３】
また本出願人においても、既に背もたれに持ち物の掛け止め部を設けた椅子の提案を行っている（特許文献３）。そして、この椅子の掛け止め部は背もたれ上部の一部を切り欠くことで設けられている。そのため、背もたれが木材や合成樹脂を素材とする板状体のみから構成される背板である場合には、切り欠き加工も簡単であり、手荷物を構成する切り欠き部は力学的耐性にも優れ、繰り返し使用にも耐える。しかしながら、椅子の背もたれとしては、このような素材だけでなくレザー張りや布張りの素材も多く用いられ、このような素材の背もたれに切り欠きを設けて、掛け止め部とした場合には、繰り返しの使用によりこの部分のレザーや布が擦り切れてしまう。
【０００４】
さらに、背もたれをこのような素材にて作製された椅子は、背もたれが汚れたりすると、張り替えて再使用することがあるため、通常、図４に示すように、後脚３を座板４より上方に延長した背もたれフレーム６に、背もたれ８がボルト１１により脱着可能に取り付けられている。この椅子おいて、背もたれの一部を切り欠いて、掛け止め部を設けた椅子を図５に示す。ここに示す椅子では切り欠き部と背もたれフレームで掛け止め部２０が形成されるが、繰り返しの使用により、掛け止め部分のレザーや布が擦り切れてしまう。
【０００５】
一方、背もたれを前面に固定している背もたれフレーム自体の上端に切り欠き部を設けて持ち物吊り下げ部を形成した椅子も提案されている（特許文献４）。しかし、この椅子では背もたれ保持フレーム（背もたれ杆）の上端の一部を切り欠くことによりを掛け止め部を設けているために、小さい切り欠き部しか形成できず、持ち物を掛け止めるには十分な大きさが確保できない。
【先行技術文献】
【特許文献】
【０００６】
【特許文献１】登録実用新案第３０５８９５７号公報
【特許文献２】特開２００３−２０４８６０号公報
【特許文献３】登録実用新案第３１６９１６８号公報
【特許文献４】登録実用新案第３１１４９１０号公報
【考案の概要】
【考案が解決しようとする課題】
【０００７】
本考案の課題は、取り換え可能な背もたれを備えた椅子において、着席に際して帽子や携帯している手提げバッグなどの持ち物を簡単に掛け止めることのできる掛け止め部が設けられた椅子を提供することである。
【課題を解決するための手段】
【０００８】
本考案の椅子は、脚と、座部と、２本の背もたれフレームの上部内側に着脱可能に取り付けられたレザー張り製又は布張り製の背もたれとを備えており、前記背もたれフレームの上部外側に、棒状部品が背もたれフレームの上端より上方に突出した状態で固定され、背もたれフレームの上端と棒状部品により掛け止め部が形成されていることを特徴とする。
【０００９】
また、上記の椅子においては、背もたれは、背もたれフレーム或いは背もたれフレーム及び棒状部品を貫通し、背もたれに設けられたネジ穴にねじ込まれて固定される取り付けボルトにて、脱着可能に取り付けられ、棒状部品は固定用ビスにて固定されている椅子が好ましい。そして、背もたれフレームは後脚を構成する２本の部材が座部よりさらに上方に延長され構成されていることが好ましい。
【００１０】
さらに、前記背もたれフレームと、前脚を構成する２本の部材が座部よりさらに上方に延長され構成されている肘掛フレームとにより取り付けられた肘掛が設けられていることが好ましい。そして、座部がレザー張り製又は布張り製であることが好ましく、さらに、脚、フレーム及び棒状部品が木製であることが好ましい。
【考案の効果】
【００１１】
本考案の椅子は、掛け止め部は背もたれフレームの上端と棒状部品によって形成されており、持ち物を掛け止めるのに十分な大きさがあり、簡単に掛け止めることができる。その上、持ち物を繰り返し掛け止めても掛け止め部の底となるフレームの上端面が擦れて傷つくこともない。さらに、背もたれ部が汚れたり、破れたりした場合に、張り替えるために背もたれのみを簡単に取り外すことができる。
【図面の簡単な説明】
【００１２】
【図１】本考案に係る掛け止め部が設けられた椅子の斜視図である。
【図２】背もたれ、棒状部品の組み付け説明図である。
【図３】背もたれの取り換え説明図である。
【図４】通常の椅子の斜視図である。
【図５】背もたれに切り込みを入れた椅子の斜視図である。
【考案を実施するための形態】
【００１３】
以下本考案の実施例を図に基づいて説明する。図１は本考案の実施例の椅子の斜視図である。
【００１４】
図１においては、後脚３と背もたれフレーム６とは同一の部材から構成されており、背もたれフレーム６は、後脚３を構成する２本の部材を座部４より上方に延長して構成されている。この背もたれフレーム６の上部内側に、背もたれ８が取り付けられており、背もたれフレーム６の外側には棒状部品９が、背もたれフレーム６の先端より上方に突出した状態で取り付けられている。背もたれ８は取り付けボルト１１と１２により背もたれフレーム６の内側に取り付けられており、棒状部品９は固定用ビス１３により、背もたれフレーム６の外側に固定されている。そして、背もたれフレーム６の上端と棒状部品９により掛け止め部１０が形成されている。
【００１５】
図１に示す実施例では、棒状部品９は椅子の両側に取り付けられており、掛け止め部１０は椅子の両側に設けられており、ここに帽子や手提げバッグなどの持ち物を掛け止めることができる。
【００１６】
図２は背もたれ８と棒状部品９の組み付け説明図であり、背もたれ８は取り付けボルト１１と１２とにより、２本の背もたれフレーム６の内側に脱着可能に取り付けられる。取り付けに際しては、取り付けボルト１１は、背もたれフレーム６を貫通するボルト穴１５を経由し、背もたれ８に設けられたネジ穴１７にねじ込まれ、取り付けボルト１２は、棒状部品９を貫通するボルト穴１４及び背もたれフレーム６を貫通するボルト穴１６を経由して、背もたれ８に設けられたネジ穴１８にねじ込まれる。棒状部品９は固定用ビス１３にて背もたれフレーム６の外側に取り付け固定されている。
【００１７】
図３は修理や交換のために背もたれ８を取り外す作業の説明図である。背もたれ８を取り外すのには、本図に示すように、取り付けボルト１１及び１２を、ネジ穴１７及び１８より外すことで行うことができる。この際、棒状部品９は取り付けボルト１１や１２とは別の固定用ビス１３にて固定されているので、棒状部品９を取り外すことなく、背もたれ８を取り外すことができる。このように簡単に取り外しができるため、張り替えて修理したり、交換したりすることを簡単に行うことができる。
【００１８】
棒状部品９は接着剤にて背もたれフレーム６に接着固定してもよいが、ビスにより固定することで、必要な場合には取り外すことが可能となり、背もたれ８と同様に修理や交換を可能にしておくことができる。交換可能とすることで、椅子を置く場所を変えた場合など、棒状部品９のデザインを変更することも可能となる。
【００１９】
上記のようにして構成された掛け止め部１０は、持ち物を掛け止めた場合に力の加わる部分は背もたれフレーム６の上端面と棒状部品により構成されるために、図５に示した掛け止め部２０のようにレザーや布が擦り切れることがない。
【００２０】
本考案において、レザー張り又は布張りとは木材、金属、合成樹脂などで作成された芯材を、直接ないしはウレタンフォームなどのクッション材を介して、レザーまたは布でその表面を張り込んだものである。そして、レザー張りに使われるレザーとしては、動物の皮膚をなめした天然皮革、合成繊維を用いた合成皮革、塩化ビニルなどのプラスチックシートを加工したビニルレザー等のすべてを含み、布張りに使われる布としては、天然繊維、再生繊維、合成繊維などの編物、織物、不織布などが使用できる。
【００２１】
また、座部も背もたれと同様にレザー張り又は布張りであることが好ましく、芯材をクッション材を介して張り込んだものが好ましく、肘掛も同様にレザー張り又は布張りとすることもできる。
【００２２】
そして、脚、フレーム、棒状部品は木製品であることが好ましい。形状は特に限定されないが図に示すように角柱状は好ましい形状であり、背もたれや棒状部品を取り付けるのに好ましい。円柱状も使用することができ、脚とフレームを１本の部材から作成する場合でも、脚部分を円柱状、フレーム部分を角柱状としてもよい。
【産業上の利用可能性】
【００２３】
本考案の椅子は各種ホール、集会場、レストランなどだけでなく、家庭内でもダイニング、リビングなどにおいても使用できる用途範囲の広い椅子である。
【符号の説明】
【００２４】
１  本考案に係る椅子
２  前脚
３  後脚
４  座部
５  肘掛フレーム
６  背もたれフレーム
７  肘掛
８  背もたれ
９  棒状部品
１０  掛け止め部
１１、１２  取り付けボルト
１３  固定用ビス
１４、１５，１６  ボルト穴
１７、１８  ネジ穴
２０  掛け止め部（背もたれ切り欠き部）
【図１】
0003175408.tif 000003
【図２】
0003175408.tif 000004
【図３】
0003175408.tif 000005
【図４】
0003175408.tif 000006
【図５】
0003175408.tif 000007